(57)【要約】【課題】外力により親綱の緊張が解除され難い、従来より安全性に優れた緊張器の提供。【解決手段】親綱緊張器１６は、フレーム１８、ロープ受け２０、爪２２及び押さえ具２６を備えている。爪２２は、ロープ受け２０に近づく一方の向きとロープ受け２０から離れる他方の向きとに回動可能とされている。緊張器１６は、爪２２とロープ受け２０との間でロープを挟持可能に構成されている。押さえ具２６の前端部は、フレーム１８に回動可能に取り付けられている。押さえ具２６は、フレーム１８から押さえ具２６の後端部が離れる一方の向きと、フレーム１８に近づく他方の向きとに回動可能にされている。押さえ具２６が一方の向きに回動することにより、爪２２が一方の向きに付勢されるように構成されている。好ましくは、緊張器１６では、爪２２の左右側面がフレーム１８に覆われている。【選択図】図１
2010252888.tif 000002
【特許請求の範囲】
【請求項１】
フレーム、ロープ受け、爪及び押さえ具を備えており、
このロープ受けがフレームに固定されており、
この爪がロープ受けに近づく一方の向きとロープ受けから離れる他方の向きとに回動可能とされており、
爪とロープ受けとの間でロープを挟持可能に構成されており、
この押さえ具の前端部がフレームに回動可能に取り付けられており、
この押さえ具が爪から独立して回動可能とされており、
この押さえ具がフレームから押さえ具の後端部が離れる一方の向きと、フレームに近づく他方の向きとに回動可能とされており、
この押さえ具が一方の向きに回動することにより、爪が一方の向きに付勢されるように構成されている親綱緊張器。
【請求項２】
上記フレームが一対のフレームであり、一方のフレームが爪の左側に位置しており、他方のフレームが爪の右側に位置しており、
この爪が左右方向を回転軸として回動可能とされており、
この爪とロープ受けとの間にロープを挟持した状態で、爪の左右側面がフレームに覆われている請求項１に記載の親綱緊張器。
【発明の詳細な説明】
【技術分野】
【０００１】
本発明は、高所作業等に用いられる親綱の緊張器に関する。
【背景技術】
【０００２】
高所作業現場では、作業者は安全帯を装着している。この安全帯に接続されたフックが構造物に係合されている。これにより、作業者の墜落事故が防止されている。作業場所によっては、フックの係合に適した構造物がない場合がある。また、水平方向に広範囲の移動が必要な場合がある。これらの場合に、水平方向に親綱が張られる。この親綱にフックが係合される。このフックが親綱に係合した状態で、親綱が張られている方向に移動可能とされている。この親綱は、緊張器を用いて張られている。
【０００３】
図７は、従来の緊張器２が親綱４と共に示され、一部が切り欠かれた正面図である。この緊張器２は、親綱４を張った状態が示されている。図示されないが、この緊張器のフック６が構造物に係合している。親綱４は、ロープ受け８と爪１０との間を通されている。爪１０の後端部１２とフック６とは、回転シャックル１４により連結されている。親綱４の張力により、緊張器２が矢印Ｔの引張力で引っ張られている。これにより、爪１０にはリベット１５を回転軸として時計回りに回転させようとする力が働く。ロープ受け８と爪１０とが親綱４を強く挟み込む。これにより、親綱４は張られた状態が維持されている。
【０００４】
実用新案登録第３０４９７３８号公報には、解放レバーを備えた緊張器が開示されている。この緊張器でも、ロープ受けと爪とが親綱４を挟み込んでいる。解放レバーは、爪の回動を規制する。解放レバーを解除することで、爪の回動規制が解除される。
【先行技術文献】
【特許文献】
【０００５】
【特許文献１】実用新案登録第３０４９７３８号公報
【発明の概要】
【発明が解決しようとする課題】
【０００６】
図７の緊張器２の爪１０の後端部１２に何らかの外力Ｆが作用することがあり得る。例えば、資材等が爪１０に接触することがあり得る。図７の矢印Ｆは、外力の加わる向きを示している。この外力Ｆにより爪１０は反時計回りに回動させられる。爪１０が回動すると、ロープ受け８と爪１０とによる親綱４の挟み込みが緩くなる。そうすると、親綱４の緊張が解除されてしまう。親綱４が弛んだ状態では、万一、作業者が落下した場合に落下距離が長くなる。
【０００７】
特許文献１の緊張器では、解除レバーが爪の回動を規制している。これにより、何らかの外力による爪の回動が阻止される。しかしながら、この緊張器であっても、この解除レバーに資材等による外力が働くと、解除レバー及び爪が回動して、親綱４の緊張が緩む恐れがある。
【０００８】
本発明の目的は、外力により親綱の緊張が解除され難い、従来のものより安全性に優れた緊張器の提供にある。
【課題を解決するための手段】
【０００９】
親綱緊張器は、フレーム、ロープ受け、爪及び押さえ具を備えている。このロープ受けがフレームに固定されている。この爪がロープ受けに近づく一方の向きとロープ受けから離れる他方の向きとに回動可能とされている。親綱緊張器は、爪とロープ受けとの間で親綱を挟持可能に構成されている。この押さえ具の前端部は、フレームに回動可能に取り付けられている。この押さえ具は、爪から独立して回動可能とされている。この押さえ具は、フレームから押さえ具の後端部が離れる一方の向きと、フレームに近づく他方の向きとに回動可能とされている。この押さえ具が一方の向きに回動することにより、爪が一方の向きに付勢されるように構成されている。
【００１０】
好ましくは、この緊張器では、上記フレームは、一対のフレームである。一方のフレームは、爪の左側に位置している。他方のフレームは、爪の右側に位置している。この爪は、左右方向を回転軸として回動可能とされている。この爪とロープ受けとの間にロープを挟持した状態で、爪の左右側面は、フレームに覆われている。
【発明の効果】
【００１１】
本発明に係る緊張器では、親綱が誤って弛められることが抑制される。この緊張器は、安全性に優れる。しかも、この緊張器は、簡易な構造で親綱の弛み止めがされており、軽量小型化が可能とされている。
【図面の簡単な説明】
【００１２】
【図１】図１は、本発明の一実施形態に係る緊張器が示された正面図である。
【図２】図２（ａ）は図１の緊張器の一部分が拡大された平面図であり、図２（ｂ）は図２（ａ）のIIｂ−IIｂ線に沿った一部切欠正面図である。
【図３】図３は、図１の緊張器の使用状態における一部分が親綱と共に示された一部切欠正面図である。
【図４】図４は、図１の緊張器の使用状態が示された概念図である。
【図５】図５は、図１の緊張器の他の使用状態における一部分が親綱と共に示された一部切欠正面図である。
【図６】図６は、本発明の他の実施形態に係る緊張器が示された正面図である。
【図７】図７は、従来の緊張器が親綱と共に示された一部切欠正面図である。
【発明を実施するための形態】
【００１３】
以下、適宜図面が参照されつつ、好ましい実施形態に基づいて本発明が詳細に説明される。
【００１４】
図１に示された緊張器１６は、一対のフレーム１８、ロープ受け２０、爪２２、爪ばね２４、押さえ具２６、回転シャックル２８、フック本体３０、外れ止め３２、外れ止めバネ３４、安全装置３６及び安全装置バネ３８を備えている。ここでは、説明の便宜上、図１の左右方向が緊張器１６の前後方向であり、この図１の右向きが前向きとされて説明がされる。図１の紙面に垂直な方向が緊張器１６の左右方向である。
【００１５】
図２（ａ）には、この一対のフレーム１８、ロープ受け２０、爪２２、爪ばね２４、押さえ具２６及び回転シャックル２８の一部が拡大されて示されている。図２（ｂ）は、この図２（ａ）のIIｂ−IIｂ線に沿って一部が切り欠かかれて示されている。この図２（ａ）に示されるように、この緊張器１８は、左側に位置する一方のフレーム１８及び右側に位置する他方のフレーム１８を備えている。一方のフレーム１８と他方のフレーム１８とは、左右方向に間隔を空けて並列している。フレーム１８の形状は、左右方向に垂直な平面方向に拡がる板状である。
【００１６】
ロープ受け２０は、この一対のフレーム１８の間に位置している。ロープ受け２０は、一対のフレーム１８の前方部にリベット４０及び４２により固定されている。ロープ受け２０の左右側面は、フレーム１８により覆われている。このロープ受け２０は、ロープ受け面４４を備えている。ロープ受け面４４は、後方に面して形成されている。ロープ受け面４４の形状は、上下方向の中央部が前方に凹んだ凹状にされている。
【００１７】
爪２２は、一対のフレーム１８の間に位置している。爪２２は、後方から前方に向かって延びている。爪２２の後端部４５は、フレーム１８に軸としてのリベット４６で取り付けられている。爪２２は、リベット４６を回転軸として回動可能にされている。爪２２の中央部から先端部４７は、上方に屈曲している。爪２２の左右側面は、フレーム１８により覆われている。言いかえると、爪２２は、フレーム１８に対向する側面をフレーム１８により覆われている。爪２２には、その中央部から先端部４７に亘って、前方に面して凸状の係合面４８が形成されている。この係合面４８は、爪２２の延びている方向に凹凸が繰り返し形成されている。この係合面４８は、ロープ受け２０のロープ受け面４４に対向して形成されている。この爪２２の後端部４５の上方に係合部５０が形成されている。
【００１８】
爪バネ２４は、ねじりコイルバネからなる。爪バネ２４は、リベット４６に通されて支持されている。爪バネ２４の一方端は、フレーム１８に固定されている。図２では、この一方端がフレーム１８に固定されたリベット５２に係合している。爪バネ２４の他方端は、爪２２に係合している。爪２２は、この爪バネ２４の付勢力により、ロープ受け２０に近づく向きに付勢されている。
【００１９】
押さえ具２６は、前後方向に延びている。この押さえ具２６は、一対のフレーム１８の間に位置している。押さえ具２６の前端部は、フレーム１８にリベット４６で取り付けられている。押さえ具２６は、リベット４６を回転軸として回転可能にされている。この緊張器１６では、爪２２と押さえ具２６との回転軸は同軸にされている。押さえ具２６の後端部は、フレーム１８から後方に突出している。押さえ具２６の前方上部に、係合部５４が形成されている。この押さえ具２６の後端部が爪２２に対して時計回りに回転すると、この係合部５４は爪２２の係合部５０と接触する様に形成されている。
【００２０】
図１に示される回転シャックル２８は、一対のＵ字状本体５６と、このＵ字状本体５６の両端部を連結するピン５８とを備えている。一方のＵ字状本体５６の開口は前方向きに開いている。他方のＵ字状本体５６の開口は後方向きに開いている。一方のＵ字状本体５６の中央部と他方のＵ字状本体５６の中央部とが連結されている。一方のＵ字状本体５６は、他方のＵ字状本体５６に対して前後方向を回転軸として回転可能に連結されている。回転シャックル２８の一方のＵ字状本体５６は、押さえ具２６の後端部に連結されている。
【００２１】
フック本体３０の形状は、鉤型である。鉤型の開口を前方向きに開口している。フック本体３０の前端部は、回転シャックル２８の他方のＵ字状本体５６と連結されている。他方のＵ字状本体５６はピン５８でフック本体３０に連結されている。フック本体３０の開口には、外れ止め３２が回動可能に取り付けられている。この外れ止め３２が反時計回りに回動して、フック本体３０の開口を塞ぐように取り付けられている。外れ止め３２が時計回りに回動して、フック本体３０の開口が開かれるように取り付けられている。外れ止めバネ３４は、フック本体３０と外れ止め３２との間に位置している。外れ止めバネ３４は、フック本体３０に対して外れ止め３２がフック本体３０の開口を塞ぐように付勢している。
【００２２】
フック本体３０の前方上方には、安全装置３６が取り付けられている。安全装置３６の後端部は、フック本体３０に対して回動可能に取り付けられている。安全装置３６の前方には、長孔６０が形成されている。この長孔６０には、外れ止め３２に固定されたピン６２が通されている。この安全装置バネ３８は、フック本体３０と安全装置３６との間に位置している。この安全装置バネ３８は、安全装置３６がフック本体３０から離れる向きに付勢している。
【００２３】
この緊張器１６の使用方法が説明される。作業者がフック本体３０の前方部を握る。安全装置３６が、安全装置バネ３８の付勢力に抗して、フック本体３０に近づく向きに回動させられる。この安全装置３６をフック本体３０側に回動させた状態で、外れ止め３２が外れ止めバネ３４の付勢力に抗して回動させる力を受ける。ピン６２が長孔６０に沿ってスライドして、外れ止め３２が時計回りに回動させられる。フック本体３０の鉤型の開口が開かれる。この状態でフック本体３０が構造物に係合される。作業者がフック本体３０から手を離すと、外れ止めバネ３４の付勢力により、外れ止め３２が反時計回りに回動する。この外れ止め３２が、フック本体３０の鉤型の開口を塞ぐ。安全装置３６が、安全装置バネ３８の付勢力により、フック本体３０から離れる向きに回動する。この安全装置３６の回動により、外れ止め３２の時計回りの回動が阻止される。これにより、フック本体３０の開口が開かれることが防止される。
【００２４】
図３（ａ）は、この緊張器１６に親綱４が通されている状態が示されている。この図３（ａ）は、図２（ｂ）と同じように一部が切り欠かれている。図示されないが、ロープからなる親綱４の他端は、構造物に連結されている。親綱４の一端は、ロープ受け２０と爪２２との間を通される。親綱４が、図３（ａ）の矢印Ｔ１の向きに引かれる。この爪２２は、親綱４がＴ１向きに引かれるとロープ受け２０から離れる向きに回動するようにされている。作業者が親綱４をＴ１向きに引くことにより、フック本体３０と親綱４の他端との間で矢印Ｔで示された引張力が作用する。
【００２５】
一方で、作業者が親綱４を引くことを止めると、親綱４は引張力Ｔにより引き戻される力を受ける。この爪２２は、親綱４が引き戻される向きに引かれるとロープ受け２０に近づく向きに回動するようにされている。この時、親綱４の引き戻しに伴って爪２２の係合面４８が親綱４に食い込む。この引張力Ｔにより、押さえ具２６の後端部は、時計回りに回転させられる。押さえ具２６の係合部５４は、爪２２の係合部５０を回転方向に押す。係合部５０が押されることにより、爪２２が時計回りに回転させられる。押さえ具２６が引張力Ｔを軸回りの回転向きの力に変換して、爪２２に伝えている。ロープ受け２０のロープ受け面４４と爪２２の係合面４８との間で親綱４が挟み込まれる。図３（ｂ）に示されるように、ロープ受け面４４と係合面４８と間で親綱４が更に強く挟み込まれる。これにより、親綱４が引き戻されることが阻止される。
【００２６】
図４に示されるように、親綱４は、水平方向に張られる。この親綱４に作業者の安全帯６８のフック７０が係合される。このフック７０が親綱４に係合した状態で、作業者が親綱４に沿って移動可能とされている。作業者が万一足を踏み外して落下しても、フック７０が親綱４と係合しているので、作業者が墜落することが防止されている。
【００２７】
図５は、図２（ｂ）と同じように一部が切り欠かれている。図５に示されるように、押さえ具２６に、矢印Ｆで示される向きの外力が作用することがある。例えば、建設資材が押さえ具２６、フック本体３０等に接触して、押さえ具２６が矢印Ｆで示す向きの外力を受けることがある。この外力Ｆが作用すると、押さえ具２６は、反時計回りに回動させられる。この緊張器１６では、押さえ具２６と爪２２とは別体で構成されている。押さえ具２６は、爪２２から独立して回動可能とされている。この緊張器１６では、押さえ具２６が反時計回りに回動させられても、爪２２は反時計回りの向きに回転させられない。これにより、張られている親綱４が弛むことが抑制されている。
【００２８】
この緊張器１６では、外力Ｆが作用すると、緊張器１６が下向きに押される。これにより、親綱４及び緊張器１６に係る引張力Ｔは更に強くなる。親綱４が引かれると、爪２２がロープ受け２０に近づく向きに回動させられる。こうして、親綱４が引かれることでロープ受け面４４と係合面４８と間で親綱４が更に強く挟み込まれる。これにより、親綱４は緊張器１６に強固に挟持された状態が維持されている。この緊張器１６では、押さえ具２６と爪２２とが別体で構成されているので、押さえ具２６が反時計回りに回動しても、爪２２は反時計回りに回動しない。この外力Ｆが取り除かれると、押さえ具２６は、引張力Ｔにより、時計回りに回動する。押さえ具２６は、係合部５４と係合部５０と接触する位置まで戻る。これにより、この緊張器１６は、図３（ｂ）で示される状態に戻る。
【００２９】
図３（ｂ）に示されるように、親綱４が爪２２とロープ受け２０とに挟持された状態で、爪２２はその回転軸方向から見られてフレーム１８に覆われている。言いかえると、親綱４が爪２２とロープ受け２０とで挟みこまれた状態で、爪２２の左右側面がフレーム１８に覆われている。後端部４５の左右側面は、フレーム１８に覆われている。図３（ｂ）の状態で、建設資材等が緊張器１６に衝突して外力Ｆが作用しても、後端部４５に外力が加わることが抑制されている。同様に、上方に位置する先端部４７の左右側面は、フレーム１８に覆われている。建設資材等が緊張器１６に衝突しても、先端部４７に外力が加わることが抑制されている。この緊張器１６は、親綱４の弛みが抑制されている。この緊張器１６では、図３（ａ）に示されるように、親綱４が通されて爪２２がロープ受け２０から離れる向きに回動した状態でも、爪２２の左右側面はフレーム１８に覆われている。親綱４が爪２２とロープ受け２０との間を通されている状態でも、図３（ｂ）の状態と同様に、爪２２に外力が加わることが抑制されている。この爪２２とロープ受け２０との間を親綱４が通されている状態と爪２２とロープ受け２０とで親綱４を挟持した状態との、爪２２の回動範囲で爪２２の左右側面を覆っている。この緊張器１６では、爪２２に外力が加わることが抑制されている。
【００３０】
ここでは、フック本体３０を備えた緊張器１６を用いて説明がされたが、緊張器１６は、フック本体３０を備える形態に限られない。図６は、本発明の他の実施形態に係る緊張器７２が示された正面図である。この緊張器７２は、一対のフレーム１８、ロープ受け２０、爪２２、爪ばね２４、押さえ具２６、連結環７４を備えている。この緊張器７２では、押さえ具２６の後端部に連結環７４が連結されている。この連結環７４の孔７６にロープが通される。この緊張器７２でも、緊張器１６と同様に、本発明の作用効果が得られる。この緊張器７２では、緊張器１６と同様に、連結環７４は、押さえ具１６を介して、引張力を爪２２に伝えている。押さえ具２６は、引張力を軸回りの回転向きの力に変換して、爪２２に伝えている。
【符号の説明】
【００３１】
１６・・・緊張器
１８・・・フレーム
２０・・・ロープ受け
２２・・・爪
２４・・・爪ばね
２６・・・押さえ具
２８・・・回転シャックル
３０・・・フック本体
３２・・・外れ止め
３４・・・外れ止めバネ
３６・・・安全装置
３８・・・安全装置バネ
４０、４２・・・リベット
４４・・・ロープ受け面
４５・・・後端部
４６・・・リベット
４７・・・先端部
４８・・・係合面
５０・・・係合部
５２・・・リベット
５４・・・係合部
５６・・・Ｕ字状本体
５８、６２・・・ピン
６０・・・長孔
６８・・・安全帯
７０・・・フック
７２・・・緊張器
７４・・・連結環
７６・・・孔
【図１】
2010252888.tif 000003
【図２】
2010252888.tif 000004
【図３】
2010252888.tif 000005
【図４】
2010252888.tif 000006
【図５】
2010252888.tif 000007
【図６】
2010252888.tif 000008
【図７】
2010252888.tif 000009